(57)【要約】【課題】ユーザ認証によるログイン処理を行った場合に使用可能な装置において、割込処理を効率よく行う。【解決手段】画像データ処理装置１００は、ユーザのログイン処理を行うログイン処理部１０２と、ログインされた状態で、ユーザから指示されたジョブを実行するジョブ実行部１０６と、第１のユーザがログイン中に他の第２のユーザから割込指示があり、第２のユーザがログインされると、第１のユーザのログインを保留するとともに第１のユーザのジョブを中断し、第２のユーザが所定時間内にログアウトするとそのまま第１のユーザがログインした状態に戻して中断したジョブを再開させるとともに、第２のユーザが所定時間を過ぎてもログアウトしなかった場合に第１のユーザを自動ログアウトする割込制御部１０４とを含む。【選択図】図１
2008257514.tif 000002
【特許請求の範囲】
【請求項１】
画像データの読み取り、送受信、または印刷を行う画像データ処理装置であって、
ユーザからユーザ識別情報および認証情報を含むログイン情報を受け付け、当該ログイン情報を認証することにより前記ユーザのログイン処理を行うログイン処理部と、
ログインされた状態で、前記ユーザから指示されたジョブを実行するジョブ実行部と、
第１のユーザがログイン中に他の第２のユーザから割込指示があると、前記ログイン処理部により当該第２のユーザのログイン処理を行わせ、当該第２のユーザがログインされると、前記第１のユーザのログインを保留するとともに前記ジョブ実行部による前記第１のユーザのジョブを中断し、前記第２のユーザが所定時間内にログアウトするとそのまま前記第１のユーザがログインした状態に戻して中断した前記ジョブを前記ジョブ実行部に再開させるとともに、前記第２のユーザが所定時間を過ぎてもログアウトしなかった場合に前記第１のユーザを自動ログアウトする割込制御部と、
を含む画像データ処理装置。
【請求項２】
請求項１に記載の画像データ処理装置において、
前記ジョブ実行部が実行するジョブの内容および設定を記憶するジョブ記憶部をさらに含み、
前記割込制御部は、前記第２のユーザがログインされ、前記第１のユーザのログインを保留して前記ジョブ実行部による前記第１のユーザのジョブを中断した場合、当該第１のユーザに対応付けて前記ジョブ実行部が実行していたジョブの内容および設定を前記ジョブ記憶部に記憶し、前記ジョブ実行部は、前記第１のユーザのジョブを再開する際に、当該ジョブ記憶部を参照してジョブを再開する画像データ処理装置。
【請求項３】
請求項２に記載の画像データ処理装置において、
前記割込制御部は、前記第１のユーザを自動ログアウトした場合でも、前記ジョブ記憶部に記憶された前記第１のユーザに対応付けられた前記ジョブの内容および前記設定をそのまま残し、
前記ジョブ実行部は、次回に前記第１のユーザがログインした場合に、前記ジョブの内容および前記設定に基づきジョブを再開するか否かを問い合わせ、ユーザから当該ジョブの内容および前記設定に基づきジョブを再開する指示があった場合に、当該ジョブを再開する画像データ処理装置。
【請求項４】
請求項１から３いずれかに記載の画像データ処理装置において、
前記割込制御部は、前記第１のユーザを自動ログアウトした場合に、予め登録された前記第１のユーザの連絡先に自動ログアウトされた旨の通知を行う画像データ処理装置。
【発明の詳細な説明】
【技術分野】
【０００１】
この発明は、画像データの読み取り、送受信、または印刷をジョブとして行う画像データ処理装置に関する。
【背景技術】
【０００２】
ファクシミリ装置、コピー機、スキャナ等の画像データ処理装置の不正使用を防ぐために、使用時にユーザ認証を行い、認証された場合にのみ使用可能とする技術が開発されている。特許文献１（特開２００５−３０１６０１号公報）には、情報処理装置にログインして情報処理装置の画面を占有しているユーザに、当該情報処理装置の操作を許すような情報処理装置であって、当該情報処理装置にログインして当該情報処理装置の画面を占有しているユーザのログインを維持したままで、新たなユーザに当該情報処理装置の画面を占有させるようなログイン処理を実行するログイン処理手段を備えた情報処理装置が記載されている。当該装置では、画面の占有に対して割込を行わせて、もとのユーザ（ユーザＡ）のジョブを実行しつつ、次のユーザ（ユーザＢ）のジョブの開始準備を許容している。これにより、画像形成装置等の情報処理装置におけるセキュリティの向上と複数のユーザの並行利用の実現とが両立できるとされている。
【特許文献１】特開２００５−３０１６０１号公報
【発明の開示】
【発明が解決しようとする課題】
【０００３】
しかし、特許文献１に記載の技術では、もとのユーザＡのジョブが終了して、次のユーザＢのジョブが終了すると、ユーザＢがログアウトされ、ユーザＡに認証情報の入力をさせるようにしている。すなわち、ユーザＡは、ログインを維持されていても、再度ジョブの指示を行うためには、再度認証情報を入力する必要がある。このようにすると、再度ログインをするのと同様にユーザの手間がかかる。
【０００４】
本発明はこうした点に鑑みてなされたもので、その目的は、ユーザ認証によるログイン処理を行った場合に使用可能な装置において、割込処理を効率よく行う技術の提供にある。
【課題を解決するための手段】
【０００５】
本発明によれば、
画像データの読み取り、送受信、または印刷を行う画像データ処理装置であって、
ユーザからユーザ識別情報および認証情報を含むログイン情報を受け付け、当該ログイン情報を認証することにより前記ユーザのログイン処理を行うログイン処理部と、
ログインされた状態で、前記ユーザから指示されたジョブを実行するジョブ実行部と、
第１のユーザがログイン中に他の第２のユーザから割込指示があると、前記ログイン処理部により当該第２のユーザのログイン処理を行わせ、当該第２のユーザがログインされると、前記第１のユーザのログインを保留するとともに前記ジョブ実行部による前記第１のユーザのジョブを中断し、前記第２のユーザが所定時間内にログアウトするとそのまま前記第１のユーザがログインした状態に戻して中断した前記ジョブを前記ジョブ実行部に再開させるとともに、前記第２のユーザが所定時間を過ぎてもログアウトしなかった場合に前記第１のユーザを自動ログアウトする割込制御部と、
を含む画像データ処理装置が提供される。
【０００６】
本発明によれば、他のユーザが割込をしたい場合に、割込を許可するとともに、割り込まれた場合でも、割込が所定時間内に終了すると、割込終了後にそのままもとのユーザのログイン状態が復帰されるとともにジョブが再開されるようにすることができる。また、割込後、所定時間が経過した場合にはもとのユーザが自動ログアウトされる。つまり、割込に時間がかかるような場合で、もとのユーザが装置の側から離れるおそれがあるような場合には、自動ログアウトが行われるので、セキュリティを保つことができるとともに、所定時間内であれば、再度の認証情報の入力等の必要なしにもとのユーザのログイン状態が復帰されるので、ユーザの利便性を高めることもできる。
【０００７】
本発明の画像データ処理装置は、前記ジョブ実行部が実行するジョブの内容および設定を記憶するジョブ記憶部をさらに含むことができ、前記割込制御部は、前記第２のユーザがログインされ、前記第１のユーザのログインを保留して前記ジョブ実行部による前記第１のユーザのジョブを中断した場合、当該第１のユーザに対応付けて前記ジョブ実行部が実行していたジョブの内容および設定を前記ジョブ記憶部に記憶し、前記ジョブ実行部は、前記第１のユーザのジョブを再開する際に、当該ジョブ記憶部を参照してジョブを再開することができる。
【０００８】
本発明の画像データ処理装置において、前記割込制御部は、前記第１のユーザを自動ログアウトした場合でも、前記ジョブ記憶部に記憶された前記第１のユーザに対応付けられた前記ジョブの内容および前記設定をそのまま残すことができ、前記ジョブ実行部は、次回に前記第１のユーザがログインした場合に、前記ジョブの内容および前記設定に基づきジョブを再開するか否かを問い合わせ、ユーザから当該ジョブの内容および前記設定に基づきジョブを再開する指示があった場合に、当該ジョブを再開することができる。これにより、割込後所定時間が経過した場合は、第１のユーザは再度ログイン処理をする必要があるが、ジョブや設定は記憶されているので、再度ジョブの指示や設定をしなおす必要がなく、ユーザの利便性が向上する。
【０００９】
本発明の画像データ処理装置において、前記割込制御部は、前記第１のユーザを自動ログアウトした場合に、予め登録された前記第１のユーザの連絡先に自動ログアウトされた旨の通知を行うことができる。これにより、第１のユーザは、処理が中断されたこと等を把握することができ、再度のログイン処理等を行うことができる。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、ユーザ認証によるログイン処理を行った場合に使用可能な装置において、割込処理を効率よく行うことができる。
【発明を実施するための最良の形態】
【００１２】
以下、本発明の実施の形態について、図面を用いて説明する。尚、すべての図面において、同様な構成要素には同様の符号を付し、適宜説明を省略する。
【００１３】
図１は、本実施の形態における画像データ処理装置１００の構成を示すブロック図である。画像データ処理装置１００は、たとえば、スキャナ機能、ファクシミリ送受信機能、およびプリンタ機能等を有するネットワークファクシミリ装置やＭＦＰ（Multi Functional Peripheral）等とすることができる。画像データ処理装置１００は、画像データの読み取り、送受信、または印刷等をジョブとして行う。
【００１４】
画像データ処理装置１００は、ログイン処理部１０２、割込制御部１０４、ジョブ実行部１０６、認証情報記憶部１１０、ログイン状態記憶部１１２、ジョブ記憶部１１４、および設定時間記憶部１１６を含む。
【００１５】
画像データ処理装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明する各図は、ハードウエア単位の構成ではなく、機能単位のブロックを示している。なお、図１において、本発明の本質に関わらない部分の構成については省略してある。
【００１６】
認証情報記憶部１１０は、予め設定され、画像データ処理装置１００の使用が許可されたユーザを認証するための情報を記憶する。ログイン処理部１０２は、あるユーザからユーザ識別情報および認証情報を含むログイン情報の入力を受け付け、入力されたユーザ識別情報および認証情報に基づき、認証情報記憶部１１０を参照して、当該ログイン情報を認証することによりユーザのログイン処理を行う。ここで、認証情報は、たとえばパスワード等とすることができる。また、ログイン処理部１０２は、ログインしているユーザからの指示に基づき、当該ユーザのログアウト処理も行う。
【００１７】
ジョブ実行部１０６は、ユーザからジョブの実行指示があると、ログイン状態記憶部１１２を参照してユーザによりログインされた状態か否かを判断し、ログインされた状態の場合、ユーザから指示されたジョブを実行する。ここで、ジョブとは、たとえば、画像データの読み取り、送受信、または印刷等である。
【００１８】
本実施の形態において、ジョブ記憶部１１４は、ユーザ識別情報に対応づけて当該ユーザが設定した画像データ処理装置１００の設定情報を記憶することができる。ジョブ実行部１０６は、ユーザからジョブの実行指示があると、そのときログインしているユーザのユーザ識別情報に応じて、適宜設定情報を読み出し、画像データ処理装置１００の表示部（不図示）等に、その設定を用いるか否か等を表示してユーザに問い合わせることができる。ユーザから、その設定を用いる指示があった場合、ジョブ実行部１０６は、その設定に基づき、ジョブを行う。
【００１９】
割込制御部１０４は、あるユーザがログイン中に、他のユーザからのログインの割込指示があった場合の処理を制御する。割込制御部１０４は、第１のユーザがログイン中に第２のユーザから割込指示があった場合、ログイン処理部１０２に第２のユーザのログイン処理を行わせる。ログイン処理部１０２は、当該第２のユーザのログイン情報を受け付け、当該ログイン情報を認証することにより第２のユーザのログイン処理を行う。割込制御部１０４は、割込により第２のユーザがログインされると、第１のユーザのログインを保留するとともにジョブ実行部１０６による第１のユーザのジョブを中断する。割込制御部１０４は、第２のユーザがログインされ、第１のユーザのログインを保留してジョブ実行部１０６による第１のユーザのジョブを中断した場合、当該第１のユーザに対応付けてジョブ実行部１０６が実行していたジョブの内容およびそのときの設定をジョブ記憶部１１４に記憶する。
【００２０】
さらに、割込制御部１０４は、第１のユーザのログイン状態が保留された場合に、第２のユーザが所定時間内にログアウトすると第１のユーザがログインした状態に戻すとともに、ジョブ実行部１０６に中断したジョブを再開させる。ジョブ実行部１０６は、ジョブ記憶部１１４を参照して、ジョブを再開する。
【００２１】
一方、割込制御部１０４は、第２のユーザが所定時間を過ぎてもログアウトしなかった場合に第１のユーザを自動ログアウトする処理を行う。設定時間記憶部１１６は、所定の時間を記憶する。設定時間記憶部１１６の設定は、予め画像データ処理装置１００のユーザや管理者等が行っておくことができる。
【００２２】
なお、割込制御部１０４は、第１のユーザを自動ログアウトした場合でも、ジョブ記憶部１１４に記憶された第１のユーザに対応付けられたジョブの内容およびそのときの設定をそのまま残しておくようにすることができる。次回に第１のユーザがログインした場合、ジョブ実行部１０６は、ジョブの内容および設定に基づきジョブを再開するか否かを問い合わせ、ユーザから当該ジョブの内容および設定に基づきジョブを再開する指示があった場合に、当該ジョブを再開することができる。ジョブ実行部１０６は、いずれかのユーザがログインした場合に、ジョブ記憶部１１４を参照して、当該ユーザに対応付けられたジョブの内容や設定の有無を確認する。当該ユーザに対応付けられたジョブの内容や設定が記憶されている場合、ジョブ実行部１０６は、画像データ処理装置１００の表示部（不図示）等に、前回のジョブを再開するか、前回の設定を再び用いるか等を表示してユーザに問い合わせる。ユーザがジョブの再開や設定の再利用を指示した場合、ジョブ実行部１０６は、ジョブ記憶部１１４に記憶された内容に基づき処理を行う。
【００２３】
また、割込制御部１０４は、第１のユーザを自動ログアウトした場合に、予め登録された第１のユーザの連絡先に自動ログアウトされた旨の通知を行うようにすることもできる。
【００２４】
割込制御部１０４は、ユーザのログイン処理およびログアウト処理を、ログイン処理部１０２に指示して行わせることができる。ログイン処理部１０２は、ユーザのログイン状態をログイン状態記憶部１１２に記憶する。具体的には、ログイン処理部１０２は、ログインしたユーザのユーザ識別情報やログイン処理が行われた時間、ログイン状態を保留したユーザ識別情報や保留された時間等をログイン状態記憶部１１２に記憶する。
【００２５】
図３は、ログイン状態記憶部１１２の内部構成の一例を示す図である。ここでは、ユーザ識別情報「ａｂｃ」のユーザが８：５６にログインしたが、ユーザ識別情報「ｂｃｄ」のユーザが９：００に割込によりログインし、ユーザ識別情報「ａｂｃ」のユーザが保留された状態である場合を示す。
【００２６】
図２は、本実施の形態における画像データ処理装置１００の処理手順を示すフローチャートである。
いずれかのユーザがログイン中に、他のユーザからログインの割込指示があると、ログイン処理部１０２は、当該ユーザのログイン処理を行う。割込のログイン処理がされると（Ｓ１００のＹＥＳ）、ログイン処理部１０２は、最初のユーザのログイン状態を保留する（Ｓ１０２）。また、割込制御部１０４は、ジョブ実行部１０６が実行していたジョブの内容および設定等をジョブ記憶部１１４に記憶する（Ｓ１０４）。
【００２７】
割込制御部１０４は、割込したユーザがログアウトしたか否かを監視し（Ｓ１０６）、当該ユーザがログアウトして割込が終了すると（Ｓ１０６のＹＥＳ）、当該ユーザがログインしてから所定時間内か否かを判断する（Ｓ１０８）。所定時間内の場合（Ｓ１０８のＹＥＳ）、割込制御部１０４は、最初のユーザのログイン状態を復帰する（Ｓ１１０）。また、割込制御部１０４は、ジョブ実行部１０６にジョブの実行を再開させる（Ｓ１１２）。なお、ジョブの実行が終了した後、ジョブ記憶部１１４のジョブの内容や設定を消去するようにすることができる。
【００２８】
ステップＳ１０８で所定時間内でない場合（Ｓ１０８のＮＯ）、割込制御部１０４は、ログイン処理部１０２に最初のユーザを自動ログアウトさせる（Ｓ１１４）。具体的には、ログイン処理部１０２は、ログイン状態記憶部１１２の最初のユーザのログイン状態を消去する。また、割込制御部１０４は、予め登録された最初のユーザの連絡先に自動ログアウトされた旨の通知を行う（Ｓ１１８）。また、この通知は、画像データ処理装置１００の表示部（不図示）等に表示するようにすることもできる。
【００２９】
また、いずれかのユーザがログインした場合、ジョブ実行部１０６は、ジョブ記憶部１１４を参照して、当該ユーザに対応付けられたジョブの内容や設定が記憶されているか否かを判断する。ジョブ記憶部１１４にジョブの内容や設定が記憶されている場合、ジョブ実行部１０６は、ジョブの内容および設定に基づきジョブを再開するか否かを問い合わせ、ユーザから当該ジョブの内容および設定に基づきジョブを再開する指示があった場合に、当該ジョブを再開することができる。
【００３０】
以上のようにすれば、画像データ処理装置１００において、他のユーザが割込をしたい場合に割込を許可するとともに、割り込まれた場合でも、割込終了後に、もとのユーザのログイン状態が復帰されるとともにジョブが再開されるようにすることができる。また、割込後、所定時間が経過した場合にはもとのユーザが自動ログアウトされる。つまり、割込に時間がかかるような場合で、もとのユーザが装置の側から離れるおそれがあるような場合には、自動ログアウトが行われるので、セキュリティを保つことができるとともに、所定時間内であれば、再度の認証情報の入力等の必要なしにもとのユーザのログイン状態が復帰されるので、ユーザの利便性を高めることもできる。
【００３１】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【図面の簡単な説明】
【００３２】
【図１】実施の形態における画像データ処理装置の構成を示すブロック図である。
【図２】図１に示した画像データ処理装置の処理手順の一例を示すフローチャートである。
【図３】ログイン状態記憶部の内部構成の例を示す図である。
【符号の説明】
【００３３】
１００ 画像データ処理装置
１０２ ログイン処理部
１０４ 割込制御部
１０６ ジョブ実行部
１１０ 認証情報記憶部
１１２ ログイン状態記憶部
１１４ ジョブ記憶部
１１６ 設定時間記憶部
【図１】
2008257514.tif 000003
【図２】
2008257514.tif 000004
【図３】
2008257514.tif 000005